(57)【要約】【課題】プレス加工が可能で、コストダウンが可能なクラッチのロータを提供する。【解決手段】ロータとアーマチュアとを備え、ロータ１０とアーマチュア間でトルクを発生させるようにしたクラッチのロータ１０において、ロータ１０は、大径のロータピース３０と小径のロータピース２０とを同心円的に積層させて形成されている構成とした。この場合、各ロータピース２０、３０に磁気吸引力の低下を防止する所定形状の窓２０Ａ、３０Ａを設けると、クラッチの磁気吸引力の低下を防止することができる。【選択図】  図６
2005024001.tif 000002
【特許請求の範囲】
【請求項１】
ロータとアーマチュアとを備え、前記ロータと前記アーマチュア間でトルクを発生させるようにしたクラッチのロータにおいて、
前記ロータは、複数のロータピースを同心円的に積層させて形成されていることを特徴とするクラッチのロータ。
【請求項２】
ロータとアーマチュアとを備え、前記ロータと前記アーマチュア間でトルクを発生させるようにしたクラッチのロータにおいて、
前記ロータは、大径のロータピースと小径のロータピースとを同心円的に積層させて形成されていることを特徴とするクラッチのロータ。
【請求項３】
上記各ロータピースに磁気吸引力の低下を防止する所定形状の窓を設けていることを特徴とする請求項１または２に記載のクラッチのロータ。
【請求項４】
上記各ロータピースはプレス加工により形成されていることを特徴とする請求項１乃至３のいずれかに記載のクラッチのロータ。
【発明の詳細な説明】
【０００１】
【発明の属する技術分野】
本発明は、自動車用等に用いられるクラッチのロータ構造の改良に関する。
【０００２】
【従来の技術】
先ず、従来のクラッチのロータについて、図７乃至図１０を用いて説明する。
図７は、クラッチの構成を示す正面図である。
図８は、クラッチの構成を示す側面図である。
図９は、従来のクラッチのロータを示す側面図である。
図１０は、従来のクラッチのロータを示す正面図である。
【０００３】
クラッチ１００は、図７及び図８に示すように、ロータ１１０、マグネット１１２、アーマチュア１２０、板バネ１２２、フィールドＡＳＳＹ１３０を備えた構成である（特許文献１参照）。
【０００４】
以上の構成により、マグネット１１２により、アーマチュア１２０が板バネ１２２の復元力に抗して軸方向に吸引されて、ロータ１１０とアーマチュア１２０間においてトルクが発生する。
【０００５】
一方、マグネット１１２の吸引力が消滅すると、板バネ１２２の復元力により、ロータ１１０とアーマチュア１２０が離隔し、トルクも消滅する。
【０００６】
また、アーマチュア１２０へ磁束を流すために、ロータ１１０には図９及び図１０に示すような形状で、磁気吸引力の低下を防止する形状の窓１１０Ａが設けられている。
【０００７】
【特許文献１】
実用新案登録公報  第２５９７５２２号
【０００８】
【発明が解決しようとする課題】
ところで、従来のクラッチのロータ１１０では、図９に示すように、ロータ１１０の外側に突起Ｂが形成され、この突起Ｂのために、プレス加工での製作ができず、鍛造で製作せざるを得ず、ロータ１１０の製作コストが増大する問題を備えていた。
【０００９】
本発明は、上記課題（問題点）を解決し、プレス加工が可能で、コストダウンが可能なクラッチのロータを提供することを目的とする。
【００１０】
【課題を解決するための手段】
本発明のクラッチのロータは、請求項１に記載のものでは、ロータとアーマチュアとを備え、前記ロータと前記アーマチュア間でトルクを発生させるようにしたクラッチのロータにおいて、前記ロータは、複数のロータピースを同心円的に積層させて形成されている構成とした。
【００１１】
このような構成とすると、複雑な形状のロータも、単純な形状のロータピースを積層させて形成できるので、大幅なコストダウンができる。
【００１２】
請求項２に記載のクラッチのロータは、ロータとアーマチュアとを備え、前記ロータと前記アーマチュア間でトルクを発生させるようにしたクラッチのロータにおいて、前記ロータは、大径のロータピースと小径のロータピースとを同心円的に積層させて形成されている構成とした。
【００１３】
このような構成とすると、複雑な形状のロータも、単純な形状の二つのロータピースを積層させて形成できるので、大幅なコストダウンができる。
【００１４】
請求項３に記載のクラッチのロータは、上記各ロータピースに磁気吸引力の低下を防止する所定形状の窓を設けている構成とした。
【００１５】
このように構成すると、クラッチの磁気吸引力の低下を防止することができる。
【００１６】
請求項４に記載のクラッチのロータは、上記各ロータピースはプレス加工により形成されている構成とした。
【００１７】
このように構成すると、ロータの製作コストを大幅に削減することができる。
【００１８】
【発明の実施の形態】
本発明のクラッチのロータの一各実施の形態について、図１乃至図６を用いて説明する。
図１は、本発明のクラッチのロータを構成する小径のロータピースの正面図である。
図２は、本発明のクラッチのロータを構成する小径のロータピースの側面図である。
図３は、本発明のクラッチのロータを構成する大径のロータピースの正面図である。
【００１９】
図４は、本発明のクラッチのロータを構成する大径のロータピースの側面図である。
図５は、本発明のクラッチのロータの正面図である。
図６は、本発明のクラッチのロータの側面図である。
【００２０】
先ず、本発明のクラッチのロータの基本構成について、図１乃至図６を用いて説明する。
本発明のクラッチのロータ１０は、図１及び２に示す小径のロータピース２０と図３及び４に示す大径のロータピース３０とを積層し、大径のロータピース３０に形成された突起Ａをカシメて結合することにより形成される。
【００２１】
また、本発明のクラッチのロータ１０では、内径側はセレート圧入し、外側はカシメで結合するので、形成後は、安定するという特徴を有している。
【００２２】
更に、図１及び図３に示すように、小径のロータピース２０と大径のロータピース３０には、磁気吸引力の低下を防止する形状の複数（図示のものでは３）の窓２０Ａ、３０Ａが、それぞれ設けられている。
【００２３】
以上のように、本発明のクラッチのロータ１０は、小径のロータピース２０と大径のロータピース３０を積層して構成され、形成後は、図５及び図６に示すような形状となる。
【００２４】
即ち、本発明によれば、図６に示すような突起部Ｂを有するような複雑な形状を持つロータ１０であっても、２つのロータピース２０、３０に分割し、各ロータピース２０、３０はプレス加工が可能な形状とすることにより、従来のように、ロータ１００を鍛造により製作した場合よりも大幅なコストダウンとすることが可能となる。
【００２５】
また、ロータピース２０、３０にそれぞれ窓２０Ａ、３０Ａを設けることにより、このような２体構造としても、磁気吸引力を低下させない構造となっている。
【００２６】
本発明のクラッチのロータは、上記実施の形態に限定されず、種々の変更が可能である。
例えば、上記実施の形態では、ロータピースを２つのもので説明したが、ロータの形状が複雑で、３つ以上のロータピースを用いて形成した場合でも、本願発明の範囲内に含まれるのは勿論のことである。
【００２７】
【発明の効果】
本発明のクラッチのロータは、上記のように構成したために、以下のような優れた効果を有する。
（１）請求項１に記載したように、ロータとアーマチュアとを備え、ロータとアーマチュア間でトルクを発生させるようにしたクラッチのロータにおいて、ロータは、複数のロータピースを同心円的に積層させて形成されている構成とすると、複雑な形状のロータも、単純な形状のロータピースを積層させて形成できるので、大幅なコストダウンができる。
【００２８】
（２）請求項２に記載したように、ロータとアーマチュアとを備え、ロータとアーマチュア間でトルクを発生させるようにしたクラッチのロータにおいて、ロータは、大径のロータピースと小径のロータピースとを同心円的に積層させて形成されている構成とすると、複雑な形状のロータも、単純な形状の二つのロータピースを積層させて形成できるので、大幅なコストダウンができる。
【００２９】
（３）請求項３に記載したように、上記各ロータピースに磁気吸引力の低下を防止する所定形状の窓を設けている構成とすると、クラッチの磁気吸引力の低下を防止することができる。
【００３０】
（４）請求項４に記載したように、上記各ロータピースはプレス加工により形成されている構成とすると、ロータの製作コストを大幅に削減することができる。
【図面の簡単な説明】
【図１】本発明のクラッチのロータを構成する小径のロータピースの正面図である。
【図２】本発明のクラッチのロータを構成する小径のロータピースの側面図である。
【図３】本発明のクラッチのロータを構成する大径のロータピースの正面図である。
【図４】本発明のクラッチのロータを構成する大径のロータピースの側面図である。
【図５】本発明のクラッチのロータの正面図である。
【図６】本発明のクラッチのロータの側面図である。
【図７】クラッチの構成を示す正面図である。
【図８】クラッチの構成を示す側面図である。
【図９】従来のクラッチのロータを示す側面図である。
【図１０】従来のクラッチのロータを示す正面図である。
【符号の説明】
１０：クラッチのロータ
３０：大径のロータピース
２０：小径のロータピース
２０Ａ、３０Ａ：窓
１２０：アーマチュア
【図１】
2005024001.tif 000003
【図２】
2005024001.tif 000004
【図３】
2005024001.tif 000005
【図４】
2005024001.tif 000006
【図５】
2005024001.tif 000007
【図６】
2005024001.tif 000008
【図７】
2005024001.tif 000009
【図８】
2005024001.tif 000010
【図９】
2005024001.tif 000011
【図１０】
2005024001.tif 000012